(57)【特許請求の範囲】
【請求項１】
集塵箱と、自身が有する上下に分離した複数のリブからなる軸受部を、前記集塵箱の天面後端近傍に設けられた回動軸に嵌合させて、略シーソー状に回動自在に保持される集塵箱用ハンドルと、前記集塵箱を収納する集塵箱収納部を有する本体部と、前記集塵箱用ハンドルの後部に設けられた前記本体部への係止部と、前記集塵箱の回動軸の前方上側と下側にそれぞれ設けた横長の上側保持部と下側保持部と、前記集塵箱用ハンドルに設けた横長の保持爪と、を備え、
前記集塵箱用ハンドルの前方が持ち上がった状態で、前記集塵箱を前記集塵箱収納部に収納し、前記集塵箱用ハンドルの持ち上がった前方を押し下げることにより、前記集塵箱用ハンドルの係止部が前記本体部に係止され、前記集塵箱が前記本体部に係止されるようにし、かつ前記集塵箱用ハンドルの前方を最上端まで上方に回動させたときには前記上側保持部が前記保持爪を乗り越さず前記上側保持部で前記保持爪を受けることで前記集塵箱用ハンドル前方の抜け止めを行うと共に、前記集塵箱用ハンドルを最下端まで下方に回動させたときには前記下側保持部を前記保持爪が乗り越し前記下側保持部で前記保持爪を受けることで前記集塵箱用ハンドルの固定を行うようにした電気掃除機。
【請求項２】
集塵箱用ハンドルの保持爪が集塵箱の下側保持部に保持された状態から集塵箱用ハンドル前方を上方に回動させるときには、集塵箱と本体部の自重で前記保持爪が前記下側保持部を乗り越し、ハンドル前方の固定が解除するようにした請求項１記載の電気掃除機。
【発明の詳細な説明】
【技術分野】
【０００１】
本発明は、電気掃除機に関するもので、特に集塵箱に設けたハンドルを利用して、集塵箱を本体部に係止するタイプの電気掃除機に関するものである。
【背景技術】
【０００２】
従来の塵埃を集塵箱に収用するタイプの電気掃除機では、集塵箱を電気掃除機本体の集塵箱収納部に収納した際の係止手段として、本体部に開閉自在に保持された集塵箱上蓋を採用したり、集塵箱もしくは本体部にバネ体とバネ体の弾性力で摺動する爪体をカバー体で挟持する構成を採用したりしていた（例えば、特許文献１、２参照）。
【特許文献１】特開２００６−２０８９７号公報
【特許文献２】特開２００５−３３４５５３号公報
【発明の開示】
【発明が解決しようとする課題】
【０００３】
しかしながら、従来の電気掃除機の構成では、集塵箱を集塵箱収納部へ収納した際の係止手段を構成するに当り、集塵箱上蓋のように大きい部品やバネ体と爪体をカバー体で挟持するなど複数の部品を採用しており、コストがかかってしまうという課題があった。
【０００４】
本発明は、前記従来の課題を解決するもので、特に集塵箱の本体部への係止手段を、集塵箱のハンドルを利用して、安価に実現することを目的とする。
【課題を解決するための手段】
【０００５】
前記従来の課題を解決するために、本発明の電気掃除機は、集塵箱と、自身が有する上下に分離した複数のリブからなる軸受部を、前記集塵箱の天面後端近傍に設けられた回動軸に嵌合させて、略シーソー状に回動自在に保持される集塵箱用ハンドルと、前記集塵箱を収納する集塵箱収納部を有する本体部と、前記集塵箱用ハンドルの後部に設けられた前記本体部への係止部と、前記集塵箱の回動軸の前方上側と下側にそれぞれ設けた横長の上側保持部と下側保持部と、前記集塵箱用ハンドルに設けた横長の保持爪と、を備え、前記集塵箱用ハンドルの前方が持ち上がった状態で、前記集塵箱を前記集塵箱収納部に収納し、前記集塵箱用ハンドルの持ち上がった前方を押し下げることにより、前記集塵箱用ハンドルの係止部が前記本体部に係止され、前記集塵箱が前記本体部に係止されるようにし、かつ前記集塵箱用ハンドルの前方を最上端まで上方に回動させたときには前記上側保持部が前記保持爪を乗り越さず前記上側保持部で前記保持爪を受けることで前記集塵箱用ハンドル前方の抜け止めを行うと共に、前記集塵箱用ハンドルを最下端まで下方に回動させたときには前記下側保持部を前記保持爪が乗り越し前記下側保持部で前記保持爪を受けることで前記集塵箱用ハンドルの固定を行う構成とした。
【０００６】
これにより、集塵箱用ハンドルの軸受部の構造が簡単になり、軸受け部が容易に形成出来るようになると共に、集塵箱用ハンドルを集塵箱に嵌合させることも容易になる。また集塵箱用ハンドルは本体部への係止部を備えているので、集塵箱用ハンドル１つを利用して集塵箱の本体部への係止手段も実現出来、集塵箱の係止手段を兼ね備えた集塵箱用ハンドルを、安価に実現出来るものである。また、部品点数を増やすことなく、集塵箱を集塵箱収納部へ装着時には、集塵箱用ハンドルを最下端で固定し、係止爪で集塵箱を本体部に確実に固定可能となると共に、集塵箱を集塵箱収納部から離脱時には、集塵箱用ハンドルを最上端まで回動させても集塵箱用ハンドルが集塵箱から抜けることなく、回動して集塵箱との間に形成された空間に手を入れて、集塵箱を持ち運ぶことが可能となる。
【発明の効果】
【０００７】
本発明の電気掃除機は、集塵箱の本体部への係止手段を兼ね備えた集塵箱用ハンドルを、安価に実現することが出来るものである。
【発明を実施するための最良の形態】
【０００８】
第１の発明は、集塵箱と、自身が有する上下に分離した複数のリブからなる軸受部を、
前記集塵箱の天面後端近傍に設けられた回動軸に嵌合させて、略シーソー状に回動自在に保持される集塵箱用ハンドルと、前記集塵箱を収納する集塵箱収納部を有する本体部と、前記集塵箱用ハンドルの後部に設けられた前記本体部への係止部と、前記集塵箱の回動軸の前方上側と下側にそれぞれ設けた横長の上側保持部と下側保持部と、前記集塵箱用ハンドルに設けた横長の保持爪と、を備え、前記集塵箱用ハンドルの前方が持ち上がった状態で、前記集塵箱を前記集塵箱収納部に収納し、前記集塵箱用ハンドルの持ち上がった前方を押し下げることにより、前記集塵箱用ハンドルの係止部が前記本体部に係止され、前記集塵箱が前記本体部に係止されるようにし、かつ前記集塵箱用ハンドルの前方を最上端まで上方に回動させたときには前記上側保持部が前記保持爪を乗り越さず前記上側保持部で前記保持爪を受けることで前記集塵箱用ハンドル前方の抜け止めを行うと共に、前記集塵箱用ハンドルを最下端まで下方に回動させたときには前記下側保持部を前記保持爪が乗り越し前記下側保持部で前記保持爪を受けることで前記集塵箱用ハンドルの固定を行うようにしたもので、集塵箱用ハンドルの軸受部の構造が簡単になり、軸受け部が容易に形成出来るようになると共に、集塵箱用ハンドルを集塵箱に嵌合させることも容易になる。また集塵箱用ハンドルは本体部への係止部を備えているので、集塵箱用ハンドル１つを利用して集塵箱の本体部への係止手段も実現出来、集塵箱の係止手段を兼ね備えた集塵箱用ハンドルを、安価に実現出来るものである。また、部品点数を増やすことなく、集塵箱を集塵箱収納部へ装着時には、集塵箱用ハンドルを最下端で固定し、係止爪で集塵箱を本体部に確実に固定可能となると共に、集塵箱を集塵箱収納部から離脱時には、集塵箱用ハンドルを最上端まで回動させても集塵箱用ハンドルが集塵箱から抜けることなく、回動して集塵箱との間に形成された空間に手を入れて、集塵箱を持ち運ぶことが可能となる。
【０００９】
第２の発明は、第１の発明の集塵箱用ハンドルの保持爪が集塵箱の下側保持部に保持された状態から集塵箱用ハンドル前方を上方に回動させるときには、集塵箱と本体部の自重で前記保持爪が前記下側保持部を乗り越し、ハンドル前方の固定が解除するようにしたもので、集塵箱を集塵箱収納部から離脱時には、ハンドル前方を上方に回動させた瞬間にハンドルの係止爪と本体部の嵌合が解除され、本体部が持ち上がることなくスムースに集塵箱を離脱可能となる。
【００１０】
以下、本発明の実施の形態について、図面を参照しながら説明する。なお、この実施の形態によりこの発明が限定されるものではない。
【００１１】
（実施の形態１）
図１は、本発明の実施の形態における電気掃除機本体の上面図、図２は、集塵箱から集塵箱用ハンドルを分解した状態を示す分解斜視図、図３は、同電気掃除機の集塵箱用ハンドルを天地逆にした状態の斜視図、図４は、図１のＡ−Ａ断面図である。
【００１２】
図１において、１は、電気掃除機本体で、集塵箱２と集塵箱収納部３を有する本体部４とからなり、集塵箱２の上方中央には、集塵箱２と本体部４の係止手段を構成する集塵箱用ハンドル５が設けられている。
【００１３】
図２〜４において、集塵箱２の中央上方の集塵箱用ハンドル取付部６には、略円筒状の回動軸７と前後の縦長の壁面で形成される溝部８を設けると共に、集塵箱用ハンドル５の内側には、本体部４との係止用の係止爪９と分離した上下の壁面で形成される軸受部１０と縦長のリブＡ１１を設けており、集塵箱用ハンドル５をハンドル取付部６に上方から嵌合させた後は、集塵箱用ハンドル５の軸受部１０が集塵箱用ハンドル取付部６の回動軸７にシーソー状に回動自在に挟持されると共に、集塵箱用ハンドル５のリブＡ１１がハンドル取付部６の溝部８に摺動自在に挟持されることで、集塵箱用ハンドル５がハンドル取付部６に抜けなく回動自在に保持されている。
【００１４】
また、集塵箱２の集塵箱用ハンドル取付部６の前方上側と下側にそれぞれ横長の上側保持部１２と下側保持部１３を設けると共に、集塵箱用ハンドル５の内側前方に横長の保持爪１４を設け、集塵箱用ハンドル５を最上端まで上側に回動させたときには上側保持部１２が保持爪１４を乗り越さず上側保持部１２で保持爪１４を受けることで集塵箱用ハンドル前方の抜け止めを行うと共に、集塵箱用ハンドル５を最下端まで下側に回動させたときには下側保持部１３を保持爪１４が乗り越し下側保持部１３で保持爪１４を受けることで集塵箱用ハンドルの固定（ロック）を行うようにしている。
【００１５】
ここで、集塵箱用ハンドル５の保持爪１４が集塵箱２の下側保持部１３に保持された状態から集塵箱用ハンドル５の前方を上側に回動させるときには、集塵箱２と本体部４の自重で保持爪１４が下側保持部１３を乗り越し、ハンドル前方の固定（ロック）が解除するようにしている。
【００１６】
上記構成を備えた電気掃除機の動作、作用は以下の通りである。
【００１７】
集塵箱２を集塵箱収納部３から離脱時には、集塵箱用ハンドル５の前方を上方に回動させた瞬間に集塵箱用ハンドル５の係止爪９と本体部４の嵌合が解除され、本体部４が持ち上がることなくスムースに集塵箱２が離脱される。
【００１８】
また、集塵箱２を集塵箱収納部へ装着時には、集塵箱用ハンドル５の前方を最下端まで回動させ、最下端でハンドル５が固定されることで係止爪９で集塵箱２が本体部４に確実に固定される。
【００１９】
このように、本実施の形態によれば、集塵箱用ハンドル５の軸受部１０を上下の壁面で形成し、集塵箱用ハンドル５のリブＡ１１と集塵箱２の溝部８を縦長に形成することで、上方から集塵箱用ハンドル５を集塵箱２に容易に嵌合させることが出来ると共に、集塵箱用ハンドル５の軸受部１０を上下の壁面で形成した場合にも、集塵箱用ハンドル５のリブＡ１１が集塵箱２の溝部８に嵌合することで集塵箱用ハンドル５回動時の案内と抜け止めを行うことが可能となり、集塵箱用ハンドル５のみ１部品で安価に集塵箱２の係止手段を実現することが可能となる。
【００２０】
また、上側保持部１２、下側保持部１３及び保持爪１４を設けることにより、部品点数を増やすことなく、集塵箱２を集塵箱収納部３へ装着時には集塵箱用ハンドル５を最下端で固定し、係止爪９で集塵箱２を本体部４に確実に固定可能となると共に、集塵箱２を集塵箱収納部３から離脱時には集塵箱２の自重で集塵箱用ハンドル５が最上端まで回動し、集塵箱用ハンドル５の抜けなく集塵箱２を持ち運ぶことが可能となる。
【００２１】
さらに、集塵箱２と本体部４の自重で保持爪１４が下側保持部１３を乗り越し、集塵箱用ハンドル５の前方のロックを解除出来るようにすることで、集塵箱２を集塵箱収納部３から離脱時には、集塵箱用ハンドル５の前方を上方に回動させた瞬間に集塵箱用ハンドル５の係止爪９と本体部４の嵌合が解除され、本体部４が持ち上がることなくスムースに集塵箱２を離脱可能となる。
【産業上の利用可能性】
【００２２】
以上のように、本発明にかかる電気掃除機は、特に集塵箱の本体部への係止手段を安価に実現することが出来るものであり、各種係止手段の構成に適用できるものである。
【図面の簡単な説明】
【００２３】
【図１】本発明の実施の形態における電気掃除機本体の上面図
【図２】集塵箱から集塵箱用ハンドルを分解した状態を示す分解斜視図
【図３】同電気掃除機の集塵箱用ハンドルの下方斜視図
【図４】図１のＡ−Ａ断面図
【符号の説明】
【００２４】
１    電気掃除機本体
２    集塵箱
３    集塵箱収納部
４    本体部
５    集塵箱用ハンドル
６    集塵箱用ハンドル取付部
７    回動軸
８    溝部
９    係止爪
１０  軸受部
１１  リブＡ
【図１】
0004985144.tif 000002
【図２】
0004985144.tif 000003
【図３】
0004985144.tif 000004
【図４】
0004985144.tif 000005